(57)【要約】【課題】床スラブ上に設けられた断熱材を逐一除去することなく建材を設置可能とする建材支持具、及び、当該建材支持具を用いた、二重床の施工方法、直貼り床の施工方法、壁の施工方法、配管の設置方法を提供する。【解決手段】本発明に係る建材支持具１は、床スラブ２上に設けられた断熱材３を貫通して床スラブ２に設置される脚部１１と、断熱材３よりも上方に位置される建材設置面１２とを備えたことを特徴とする。また、二重床４の施工方法は、床スラブ２上に設けられた断熱材３を貫通して床スラブ２に設置される脚部１１と、断熱材３よりも上方に位置される建材設置面１２とを備えた建材支持具１を用い、断熱材３を貫通して床スラブ２に設置された建材支持具１の建材設置面１２に、床構成部支持用の支持脚６を設置して二重床４を構築したことを特徴とする。【選択図】図１
2018155071.tif 000002
【特許請求の範囲】
【請求項１】
床スラブ上に設けられた断熱材を貫通して床スラブに設置される脚部と、断熱材よりも上方に位置される建材設置面とを備えたことを特徴とする建材支持具。
【請求項２】
床スラブ上に設けられた断熱材を貫通して床スラブに設置される脚部と、断熱材よりも上方に位置される建材設置面とを備えた建材支持具を用い、
断熱材を貫通して床スラブに設置された建材支持具の建材設置面に、床構成部支持用の支持脚を設置して二重床を構築したことを特徴とする二重床の施工方法。
【請求項３】
床スラブ上に設けられた断熱材を貫通して床スラブに設置される脚部と、断熱材よりも上方に位置される建材設置面とを備えた建材支持具を用い、
断熱材を貫通して床スラブに設置された建材支持具の建材設置面に、床材支持用の下地材を設置して直貼り床を構築したことを特徴とする直貼り床の施工方法。
【請求項４】
床スラブ上に設けられた断熱材を貫通して床スラブに設置される脚部と、断熱材よりも上方に位置される建材設置面とを備えた建材支持具を用い、
断熱材を貫通して床スラブに設置された建材支持具の建材設置面に、スタッド建込用の床側ランナーを設置して壁を構築したことを特徴とする壁の施工方法。
【請求項５】
床スラブ上に設けられた断熱材を貫通して床スラブに設置される脚部と、断熱材よりも上方に位置される建材設置面とを備えた建材支持具を用い、
断熱材を貫通して床スラブに設置された建材支持具の建材設置面に、配管を設置したことを特徴とする配管の設置方法。
【発明の詳細な説明】
【技術分野】
【０００１】
本発明は、床スラブ上に設けられた断熱材上に建材を設置可能とするための建材支持具、及び、当該建材支持具を用いた二重床の施工方法等に関する。
【背景技術】
【０００２】
従来、床スラブ面上に、二重床の支持脚、直貼り床の下地材、スタッド建込用の床側ランナー等の建材を設置して、二重床、直貼り床、二重壁（付加壁）を構築するようにしている（例えば、特許文献１，２等参照）。
また、マンション等の建物においては、建物の断熱性能を向上させるために、床スラブ上の少なくとも一部に断熱材を吹き付けて床下に断熱層を設けることも知られている（例えば、特許文献３等参照）。この断熱層の上に二重床の支持脚、直貼り床の下地材、スタッド建込用のランナー等の建材を設置することはできないため、これら建材を設置する箇所においては、断熱材を除去して床スラブを露出させ、当該露出させた床スラブ上に建材を設置するようにしていた。
【先行技術文献】
【特許文献】
【０００３】
【特許文献１】特開２０１４−１２９７６号公報
【特許文献２】特開２０１６−３５４０号公報
【特許文献３】特開２０１６−８９５３７号公報
【発明の概要】
【発明が解決しようとする課題】
【０００４】
しかしながら、建材を設置する箇所の断熱材を逐一除去する作業は、労力の面だけではなく、断熱材を除去した部分は断熱欠損となってしまうので、好ましくないという課題があった。
そこで、本発明は、床スラブ上に設けられた断熱材を逐一除去することなく建材を設置可能とする建材支持具、及び、当該建材支持具を用いた、二重床の施工方法、直貼り床の施工方法、壁の施工方法、配管の設置方法を提供する。
【課題を解決するための手段】
【０００５】
本発明に係る建材支持具によれば、床スラブ上に設けられた断熱材を貫通して床スラブに設置される脚部と、断熱材よりも上方に位置される建材設置面とを備えたので、床スラブ上に設けられた断熱材を逐一除去することなく、支持脚、下地材、床側ランナー、配管等の建材を床スラブに支持された状態に設置できるようになり、断熱欠損の無い断熱性能に優れた床構造等を容易に構築できるようになる。
また、二重床の施工方法によれば、床スラブ上に設けられた断熱材を貫通して床スラブに設置される脚部と、断熱材よりも上方に位置される建材設置面とを備えた建材支持具を用い、断熱材を貫通して床スラブに設置された建材支持具の建材設置面に、床構成部支持用の支持脚を設置して二重床を構築したので、断熱材を逐一除去することなく建材としての支持脚を床スラブに支持された状態に設置できるようになり、断熱材を除去しないので、断熱欠損の無い断熱性能に優れた二重床を容易に施工できるようになる。
また、直貼り床の施工方法によれば、床スラブ上に設けられた断熱材を貫通して床スラブに設置される脚部と、断熱材よりも上方に位置される建材設置面とを備えた建材支持具を用い、断熱材を貫通して床スラブに設置された建材支持具の建材設置面に、床材支持用の下地材を設置して直貼り床を構築したので、断熱材を逐一除去することなく建材としての下地材を床スラブに支持された状態に設置できるようになり、断熱材を除去しないので、断熱欠損の無い断熱性能に優れた直貼り床を容易に施工可能となる。
また、壁の施工方法によれば、床スラブ上に設けられた断熱材を貫通して床スラブに設置される脚部と、断熱材よりも上方に位置される建材設置面とを備えた建材支持具を用い、断熱材を貫通して床スラブに設置された建材支持具の建材設置面に、スタッド建込用の床側ランナーを設置して壁を構築したので、断熱材を逐一除去することなく建材としての床側ランナーを床スラブに支持された状態に設置できるようになり、断熱材を除去しないので、断熱欠損の無い断熱性能に優れた床スラブ上に付加壁を容易に施工可能となる。
また、配管の設置方法によれば、床スラブ上に設けられた断熱材を貫通して床スラブに設置される脚部と、断熱材よりも上方に位置される建材設置面とを備えた建材支持具を用い、断熱材を貫通して床スラブに設置された建材支持具の建材設置面に、配管を設置したので、断熱材を逐一除去することなく建材としての配管を床スラブに支持された状態に設置できるようになり、断熱材を除去しないので、断熱欠損の無い断熱性能に優れた配管設置構造を容易に施工可能となる。
【図面の簡単な説明】
【０００６】
【図１】建材支持具を用いた二重床構造を示す断面図（実施形態１，２）。
【図２】建材支持具の一例を示す図であり、（ａ）は建材支持具を建材設置面側から見た斜視図、（ａ）は建材支持具を脚部側から見た斜視図（実施形態１）。
【図３】建材支持具の他の形態を示す図（実施形態１）。
【図４】建材支持具を用いた直貼り床構造を示す断面図（実施形態３）。
【図５】建材支持具を用いた二重壁構造を示す断面図（実施形態４）。
【図６】建材支持具を用いた配管設置構造を示す図（実施形態５）。
【発明を実施するための形態】
【０００７】
実施形態１
図１に示すように、実施形態１に係る建材支持具１は、例えば、金属、樹脂等により形成され、床スラブ２のスラブ面上に設けられた断熱材３を貫通して床スラブ２のスラブ面に設置される脚部１１と、断熱材３よりも上方に位置される建材設置面１２とを備えたものである。
脚部１１は、例えば図２に示すように、少なくとも３本の柱状の脚１１ａを備えた構成である。
建材設置面１２は、脚部１１の上端に設けられたブロック体や平板等の基部１３の上面１３ａとなる平面により形成される。
言い換えれば、脚部１１を構成する柱状の脚１１ａは、基部１３の下面１３ｂから突出するように形成されている。
そして、脚部１１が床スラブ２のスラブ面上に設けられた断熱材３を貫通して床スラブ２のスラブ面に設置されて、建材設置面１２が断熱材３よりも上方に位置された建材支持具１の当該建材設置面１２に、支持脚、下地材、ランナー、配管等の建材が設置される。
断熱材３は、例えば、現場発泡ウレタン系等の吹き付け断熱材であり、この吹き付け断熱材を床スラブ２のスラブ面上の所定範囲に吹き付けることで断熱層３０が形成される。例えば、断熱材３を吹き付けて形成される断熱層３０は、床スラブ２のスラブ面上の壁際部分に設けられる。
【０００８】
尚、建材支持具１としては、例えば、図３（ａ）に示すように、円板状又は円柱状の基部１３と４本の脚１１ａとを備え、４本の柱状の脚１１ａが円形面である下面１３ｂの周縁側において互いに中心角９０度隔てた位置にそれぞれ設けられた構成の建材支持具１を用いても良い。
また、図３（ｂ）に示すように、円板状又は円柱状の基部１３と４本の柱状の脚１１ａとを備え、１本の脚１１ａが円形面である下面１３ｂの中心に設けられて、かつ、３本の脚１１ａが下面１３ｂの周縁側において互いに中心角１２０度隔てた位置にそれぞれ設けられた構成の建材支持具１を用いても良い。
また、図３（ｃ）に示すように、四角板状又は四角柱状の基部１３と５本の柱状の脚１１ａとを備え、４本の脚１１ａが四角面である下面１３ｂの角縁側の位置にそれぞれ設けられ、かつ、下面１３ｂの中央位置に脚１１ａが設けられた構成の建材支持具１を用いても良い。
また、図３（ｄ）に示すように、円板状又は円柱状の基部１３の円形の下面１３ｂの周縁に連続して設けられた円筒状の脚部１１を備えた構成の建材支持具１を用いても良い。
また、図３（ｅ）に示すように、四角板状又は四角柱状の基部１３の四角形の下面１３ｂの周縁側に連続して設けられた円筒状の脚部１１を備えた構成の建材支持具１を用いても良い。
また、図３（ｆ）に示すように、円板状又は円柱状の基部１３の円形の下面１３ｂの周縁に連続して設けられた２つの半円弧状の脚１１ｂ，１１ｂを有した脚部１１を備えた構成の建材支持具１を用いても良い。
また、図３（ｇ）に示すように、円板状又は円柱状の基部１３の円形の下面１３ｂに十字状に突出するように設けられた脚部１１を備えた構成の建材支持具１を用いても良い。
また、図３（ｈ）に示すように、四角板状又は四角柱状の基部１３の四角形の下面１３ｂに十字状に突出するように設けられた脚部１１を備えた構成の建材支持具１を用いても良い。
また、図３（ｉ）に示すように、四角板状又は四角柱状の基部１３の四角形の下面１３ｂに対角線上に十字状に突出するように設けられた脚部１１を備えた構成の建材支持具１を用いても良い。
また、図３（ｊ）に示すように、四角板状又は四角柱状の基部１３の四角形の下面１３ｂの中央に向けられた断面十字状の脚１１ｃと下面１３ｂの各角部にそれぞれ設けられた断面Ｌ字状の脚１１ｄとを有した脚部１１を備えた構成の建材支持具１を用いても良い。
また、図３（ｋ）に示すように、円板状又は円柱状の基部１３の円形の下面１３ｂの中心を横切る平板状に脚１１ｅと脚１１ｅの両側に位置する下面１３ｂから突出するように設けられた複数の柱状の脚１１ａとを有した脚部１１を備えた構成の建材支持具１を用いても良い。
【０００９】
実施形態１に係る建材支持具１によれば、床スラブ２上に設けられた断熱材３を貫通して床スラブ２に設置される脚部１１と、断熱材３よりも上方に位置される建材設置面１２とを備えたので、床スラブ２上に設けられた断熱材３を逐一除去することなく、後述するような、支持脚、下地材、床側ランナー、配管等の建材を床スラブ２のスラブ面に支持された状態に設置できるようになり、断熱欠損の無い断熱性能に優れた床構造等を容易に構築できるようになる。
【００１０】
実施形態２
建材支持具１を用いた二重床４の施工方法を図１に基づいて説明する。
まず、床スラブ２のスラブ面の所定の範囲に（例えば戸境壁８０等の壁側の床スラブ面上に）断熱材３を吹き付けて断熱層３０を形成する。
断熱層３０が設けられていない部分においては、床スラブ２上に支持脚５を設置する。
断熱層３０が設けられている部分においては、建材支持具１の脚部１１を脚部１１の先端側から断熱層３０に突き刺して、脚部１１の先端を床スラブ２のスラブ面に到達させる。即ち、建材支持具１の脚部１１が断熱材３を貫通して床スラブ２のスラブ面に設置されることにより、当該建材支持具１が床スラブ２に支持された状態にする。
次に、建材支持具１が床スラブ２に支持された場合に、断熱材３よりも上方に位置される建材設置面１２に支持脚６を設置する。
そして、床スラブ２上に設置された支持脚５の台座５８のレベル（高さ）、及び、断熱材３を貫通して床スラブ２に支持された建材支持具１の建材設置面１２上に設置された支持脚６の際根太部６１のレベルを調整して、各支持脚５，６の上に床板構成部７を構築することにより、二重床４を構築できる。
【００１１】
即ち、二重床４は、脚１１ａが床スラブ２上に設けられた断熱材３を貫通して床スラブ２のスラブ面に設置されて建材設置面１２が断熱材３よりも上方に位置された上述の建材支持具１と、断熱材３を貫通して床スラブ２に支持された建材支持具１の建材設置面１２に設置された支持脚６と、断熱材３が設けられていない床スラブ２のスラブ面に配置された支持脚５と、支持脚５，６の上に設置された床板構成部７とを備えて構成される。
【００１２】
床スラブ２上に設置される支持脚５としては、例えば、床スラブ２のスラブ面に設置される防振ゴム５６と、下部が防振ゴム５６に取付けられて防振ゴム５６に支持される支柱５７と、支柱５７の上端部に設けられた台座５８とを備える。台座５８は、例えば、パーティクルボード、あるいは、構造用合板で形成される。台座５８は、台座５８の上下面間に延長して設けられたナット部５９を備え、当該ナット部５９が支柱５７の上端部側に螺着されている。つまり、支持脚５は、支柱５７の上部の外周面に形成された雄ねじ部とナット部５９の雌ねじとのねじ嵌合により、台座５８が支柱５７に対して上下に移動可能に構成され、台座５８のレベルを調整して床板構成部７のレベルを調整できるように構成されている。
【００１３】
建材支持具１の建材設置面１２に設置される支持脚６としては、例えば、床板構成部７の戸境壁等の壁８０側の端部（壁際）を支持する防振際根太と呼ばれる支持脚６を用いる。当該防振際根太と呼ばれる支持脚６は、所定長さの長尺支持部材としての際根太部６１を有し、当該際根太部６１の両端側が支持具６２，６２で支持された構成のものである。支持具６２は、際根太部６１の上下面間に延長して設けられたナット部６３と、ナット部６３が螺着されてナット部６３を上下に移動可能とする支柱６４と、支柱６４の下端側がはめ込まれて支柱６４に伝わる振動を吸収するゴム（防振ゴム）６５とを具備して構成される。つまり、支持脚６は、支柱６４の上部の外周面に形成された雄ねじ部とナット部６３の雌ねじとのねじ嵌合により、際根太部６１が支柱６４，６４に対して上下に移動可能に構成され、際根太部６１のレベルを調整して床板構成部７のレベルを調整できるように構成されている。
【００１４】
床板構成部７は、例えば、各支持脚５，６の上に設置された基材７１と、基材７１の上に設置された床仕上げ材７２とを備えて構成される。
基材７１と際根太部６１及び台座５８とが図外の固定手段により固定され、基材７１の上面に床仕上げ材７２が取付けられる。
固定手段としては、例えば、釘、スクリュー釘、タッカー針、ビス等が用いられる。
基材７１を構成する板材としては、例えば、パーティクルボード、構造用合板等が用いられる。
床仕上げ材７２は、例えば、フローリング床材、カーペット、タイル、絨毯、石板、畳等により構成される。
【００１５】
つまり、実施形態２による二重床４の施工方法は、床スラブ２上に設けられた断熱材３を貫通して床スラブ２に設置される脚部１１と、断熱材３よりも上方に位置される建材設置面１２とを備えた建材支持具１を用い、断熱材３を貫通して床スラブ２に設置された建材支持具１の建材設置面１２に、床構成部支持用の支持脚５を設置して二重床４を構築するようにした。
【００１６】
建材支持具１を用いた二重床４の施工方法によれば、建材支持具１を用いたことにより、断熱材３を逐一除去することなく建材としての支持脚６を床スラブ２に支持された状態に設置でき、断熱材３を除去しないので、断熱欠損の無い断熱性能に優れた二重床４を容易に施工できるようになる。
【００１７】
実施形態３
建材支持具１を用いた直貼り床４Ａの施工方法を図４に基づいて説明する。
まず、断熱材３を吹き付けて断熱層３０を形成する所定の範囲（例えば戸境壁８０等の壁側の所定範囲）のスラブ面２１と、断熱層３０を形成しないスラブ面２２とを備え、スラブ面２１のレベルをスラブ面２２のレベルより低くした床スラブ２Ａを構築する。
そして、所定の範囲のスラブ面２１上に断熱材３を吹き付けて断熱層３０を形成する。
次に、建材支持具１の脚部１１を脚部１１の先端側から断熱層３０に突き刺して、脚部１１の先端をレベルを低くした床スラブ面２１に到達させる。即ち、複数の建材支持具１が断熱材３を貫通して所定の範囲の床スラブ面２１に支持されるよう設置される。
そして、所定の範囲の床スラブ面２１に設置された複数の建材支持具１の建材設置面１２上に例えば構造用合板等の下地材７５を設置して、下地材７５の上面による床材設置面７６を形成するとともに、所定の範囲以外のスラブ面２２上にセルフレベリング材７７を設けてセルフレベリング材７７による床材設置面７８を形成する。
最後に、下地材７５の上面により形成された床材設置面７６とセルフレベリング材７７により形成された床材設置面７８とに床材７９を貼り付けることにより、直貼り床４Ａが構築される。
【００１８】
即ち、直貼り床４Ａは、断熱層３０を形成するために所定の範囲のスラブ面２１のレベルが所定の範囲以外のスラブ面２２のレベルよりも低くなるように構築された床スラブ２Ａと、所定の範囲のスラブ面２１上に断熱材３が設けられて形成された断熱層３０と、断熱層３０の上に設置されて床材設置面７６を形成する下地材７５と、所定の範囲外のスラブ面２２上に設けられて床材設置面７８を形成するセルフレベリング材７７と、下地材７５及びセルフレベリング材７７によって形成された床材設置面７６，７８上に設置された床材７９とを備えて構成される。
【００１９】
つまり、実施形態３による直貼り床４Ａの施工方法は、床スラブ２Ａ上に設けられた断熱材３を貫通して床スラブ２Ａに設置される脚部１１と、断熱材３よりも上方に位置される建材設置面１２とを備えた建材支持具１を用い、当該建材支持具１の建材設置面１２に、床材支持用の下地材７５を設置して直貼り床４Ａを構築するようにした。
【００２０】
建材支持具１を用いた直貼り床４Ａの施工方法によれば、建材支持具１を用いたことにより、断熱材３を逐一除去することなく建材としての下地材７５を床スラブ２Ａのスラブ面２１に支持された状態に設置でき、断熱材３を除去しないので、断熱欠損の無い断熱性能に優れた直貼り床４Ａを容易に施工可能となる。
【００２１】
実施形態４
建材支持具１を用いた付加壁（壁）８を図５に基づいて説明する。
まず、床スラブ２のスラブ面の所定の範囲である戸境壁８０等の壁側のスラブ面上に断熱材３を吹き付けて断熱層３０を形成する。
次に、建材支持具１の脚部１１を脚部１１の先端側から断熱層３０に突き刺して、脚部１１の先端を床スラブ２のスラブ面に到達させる。即ち、建材支持具１が断熱材３を貫通して床スラブ２のスラブ面に支持されるようにする。
そして、床側ランナー８２を建材支持具１の建材設置面１２上に設置するとともに、図外の天井スラブに天井側ランナーを設置する。
床側ランナー８２及び天井側ランナーの立ち上がり板８２ｂ，８２ｂ間に所定の間隔を隔てて複数のスタッド（下地柱）８３を建て込んでせっこうボード等の壁下地材８５の取付面８４を構築する。
取付面８４に壁下地材８５を取付けて、壁下地材８５の表面にクロス等の壁仕上げ材８６を貼り付けることにより、付加壁８が構築される。
つまり、戸境壁８０と、当該戸境壁８０と対向するように戸境壁８０の前方に空気層を介して設けられた付加壁８とを備えた二重壁が構築される。
【００２２】
即ち、付加壁８は、脚部１１が床スラブ２上に設けられた断熱材３を貫通して床スラブ２に設置されて建材設置面１２が断熱材３よりも上方に位置された建材支持具１と、当該建材支持具１の建材設置面１２に設置された床側ランナー８２と、床側ランナー８２内に建て込まれたスタッド８３と、スタッド８３に取付けられた壁下地材８５と、壁下地材８５の表面に設けられたクロス等の壁仕上げ材８６とを備えて構成される。
【００２３】
床側ランナー８２、及び、図外の天井側ランナーは、例えば、長尺な方向と直交する方向に切断された断面が凹形状の長尺材により形成される。即ち、長尺な帯板状の基板８２ａの両方の長辺縁より同じ方向に延長して当該基板８２ａに対して垂直な立ち上がり板８２ｂ，８２ｂを備え、当該基板８２ａと両方の立ち上がり板８２ｂ，８２ｂとで囲まれた凹部を備える。
床側ランナー８２は、凹部の開口を上に向けて床スラブ２上における複数のスタッド８３の下端の設置予定位置に配置された建材支持具１の建材設置面１２にねじ等の固定手段８７によって固定される。
天井側ランナーは、凹部の開口を下に向けて図外の天井スラブのスラブ面における複数のスタッド８３の上端の設置予定位置に配置されて天井スラブにアンカーボルト等の固定手段により固定される。
【００２４】
つまり、実施形態４による付加壁８の施工方法は、床スラブ２上に設けられた断熱材３を貫通して床スラブ２に設置される脚部１１と、断熱材３よりも上方に位置される建材設置面１２とを備えた建材支持具１を用い、当該建材支持具１の建材設置面１２に、スタッド建込用の床側ランナー８２を設置して付加壁（壁）８を構築するようにした。
【００２５】
建材支持具１を用いた付加壁８の施工方法によれば、建材支持具１を用いたことにより、断熱材３を逐一除去することなく建材としての床側ランナー８２を床スラブ２のスラブ面に支持された状態に設置でき、断熱材３を除去しないので、断熱欠損の無い断熱性能に優れた床スラブ２上に付加壁８を容易に施工可能となる。
【００２６】
実施形態５
建材支持具１を用いた配管９の設置方法を図６に基づいて説明する。
例えば、実施形態１で説明した二重床４を構築する際に、断熱層３０の上に配管９を設置したい場合において、配管支持用の建材支持具１が断熱材３を貫通して床スラブ２のスラブ面に支持されるようにする。
そして、断熱材３を貫通して床スラブ２に支持された建材支持具１の建材設置面１２に配管９を設置し、適宜、固定具９１を用いて、配管９を建材設置面１２に固定する。
【００２７】
実施形態５による配管９の設置方法は、床スラブ２上に設けられた断熱材３を貫通して床スラブ２に設置される脚部１１と、断熱材３よりも上方に位置される建材設置面１２とを備えた建材支持具１を用い、断熱材３を貫通して床スラブ２に設置された建材支持具１の建材設置面１２に、配管９を設置するようにした。
当該建材支持具の建材設置面に、配管を設置した。
【００２８】
建材支持具１を用いた配管９の設置方法によれば、建材支持具１を用いたことにより、断熱材３を逐一除去することなく建材としての配管９を床スラブ２のスラブ面に支持された状態に設置でき、断熱材３を除去しないので、断熱欠損の無い断熱性能に優れた配管設置構造を容易に施工可能となる。
【符号の説明】
【００２９】
１  建材支持具、２  床スラブ、３  断熱材、４  二重床、６  支持脚、
７  床板構成部、８  付加壁（壁）、９  配管、１１  脚部、１２  建材設置面、
７５  下地材、８２  床側ランナー、８３  スタッド。
【図１】
2018155071.tif 000003
【図２】
2018155071.tif 000004
【図３】
2018155071.tif 000005
【図４】
2018155071.tif 000006
【図５】
2018155071.tif 000007
【図６】
2018155071.tif 000008